(57)【要約】      （修正有）【課題】枕の高さを柔軟に調整することができ、音声制御モジュールによってインテリジェント調整を実現し、ユーザの使用利便性及び快適さを向上させる音声制御による高さ調整可能なマルチレンジスマート枕を提供する。【解決手段】マルチレンジスマート枕は、調整機構１と、調整機構を内部に包むソフトパッドとを備え、調整機構は、対向設置され且つ相対的に移動可能な可動ベース１１を２つ備え、ソフトパッドには、２つの可動ベースに接続される間隔調整装置１２が覆設され、可動ベース間の間隔を調整する。２つの可動ベースの上方と下方には、間隔調整装置の長さ変化方向に配置され一端がソフトパッドに当接する複数の調整ブリッジ１３が設けられる。また間隔調整装置は、リードを介してコントローラにより起動・停止する音声制御モジュール３に接続される。【選択図】図１
0003226370.tif 000002
【実用新案登録請求の範囲】
【請求項１】
音声制御による高さ調整可能なマルチレンジスマート枕であって、
調整機構と、調整機構の外部に包まれたソフトパッドとを備え、調整機構は、対向設置され且つ相対的に移動可能な可動ベースを２つ備え、間隔調整装置により２つの可動ベースの間の間隔を調整し、２つの可動ベースの上方及び下方のいずれにも、調整ブリッジが設けられており、２つの調整ブリッジは対称的に設けられ、２つの調整ブリッジはそれぞれ上下方向からソフトパッドに当接され、可動ベースを移動することで上下方向からソフトパッドを押し広げ、間隔調整装置は、さらにリードを介してコントローラにより起動・停止する音声制御モジュールに接続されている、
ことを特徴とするマルチレンジスマート枕。
【請求項２】
前記間隔調整装置は、２つの可動ベースの間に位置する駆動モータを備え、駆動モータの両端のそれぞれには、同軸で設けられた出力軸が設けられ、２本の出力軸の回転方向が反対しており、２本の出力軸のいずれにも同軸のねじ棒が設けられ、２本のねじ棒におけるねじ方向が同じであり、２本のねじ棒は、それぞれ２つの可動ベースに適合して接続され、駆動モータは、リードを介して、コントローラにより起動・停止する音声制御モジュールに接続され、駆動モータの内部には、減速機が設けられている、
ことを特徴とする請求項１に記載の音声制御による高さ調整可能なマルチレンジスマート枕。
【請求項３】
前記可動ベースの上方及び下方における調整ブリッジは、すべて６本以上であり、且つ等間隔で配列されている、
ことを特徴とする請求項１に記載の音声制御による高さ調整可能なマルチレンジスマート枕。
【請求項４】
前記調整ブリッジは、水平に設けられソフトパッドに当接された弾性バーと、弾性バーの両端に対称的に設けられ、弾性バーに接続される２本の制御スチールバーとを備え、２本の制御スチールバーの他端はそれぞれ２つの可動ベースに接続され、制御スチールバーは、スチールバー本体と、それぞれスチールバー本体の両端に位置する第１接続部及び第２接続部とを備え、第１接続部は、弾性バーに固定して接続され、スチールバー本体は、第１接続部に回動可能に接続され、第２接続部は、可動ベースに固定して接続され、スチールバー本体は、第２接続部に回動可能に接続され、可動ベースの上方に位置する調整ブリッジの弾性バーは、可動ベースの上面よりも高く、可動ベースの下方に位置する調整ブリッジの弾性バーは、可動ベースの下面よりも低い、
ことを特徴とする請求項１〜３のいずれか１項に記載の音声制御による高さ調整可能なマルチレンジスマート枕。
【請求項５】
前記弾性バーの材質はＰＶＣ板を用いる、
ことを特徴とする請求項４に記載の音声制御による高さ調整可能なマルチレンジスマート枕。
【請求項６】
前記制御スチールバー本体と第１接続部及び第２接続部との回動接続方式には、ヒンジ連結が使用される、
ことを特徴とする請求項４に記載の音声制御による高さ調整可能なマルチレンジスマート枕。
【請求項７】
前記弾性バーとソフトパッドとの間には、ガードプレートが固定して設けられ、前記ガードプレートの両端が可動ベースの上方又は下方まで外向きに延びている、
ことを特徴とする請求項４に記載の音声制御による高さ調整可能なマルチレンジスマート枕。
【請求項８】
前記２つの可動ベースの間には、負荷モジュールが凹設されている、
ことを特徴とする請求項１に記載の音声制御による高さ調整可能なマルチレンジスマート枕。
【請求項９】
前記負荷モジュールは、高反発スポンジ又は硬化普通スポンジである、
ことを特徴とする請求項８に記載の音声制御による高さ調整可能なマルチレンジスマート枕。
【請求項１０】
音声制御モジュールには、音声コマンドリストの認識及び調整ユニットへのコマンド送信のために、少なくとも３つ以上の調整レンジが設けられる、
ことを特徴とする請求項１に記載の音声制御による高さ調整可能なマルチレンジスマート枕。
【考案の詳細な説明】
【技術分野】
【０００１】
本考案は、家庭用品の分野に関し、特に音声制御による高さ調整可能なマルチレンジスマート枕である。
【背景技術】
【０００２】
人々の物質的な生活水準の継続的な改善に伴い、ますます多くの人が自分の睡眠の質を重視化し始めた。睡眠は、人の生活の３分の１を占め、日々の仕事、生活の質や効率に直接影響するほど重要であり、枕は、人々の日常生活に不可欠な家庭用品である。人々の生活水準の継続的な改善に伴い、枕の外観、柔らかさ、快適さ、機能性及び製品の品質に対する人々の要求も高まっている。よく言われるように、すべての人を満足させることは困難であり、特にホテルでは、消費者が多様化されており、高級ホテルの場合は、消費者は特に要求が厳しい。
【０００３】
従来技術では、枕の芯材の詰め物は、通常、綿、スプレーバンドコットン、人形詰め用綿、真綿、蕎麦殻などに分けられる。現在、市販の枕がたくさんあるが、どの種類の枕であっても、高さが固定されたものであり、好適な場合は、多層構造にして、いくつかの層を取り外すことにより高さを調整する。特に、ホテルなどの多数の人々が利用される場所では、高さに対する厳しい要求のある消費者のニーズに応えられない。また、消費者が枕を購入した後に自宅で枕の高さを調整することは非常に不便である。
【考案の概要】
【考案が解決しようとする課題】
【０００４】
上記従来技術における欠点を解決するために、本考案は、音声で枕の高さを調整することで、高品質の睡眠への要求を満たす音声制御による高さ調整可能なマルチレンジスマート枕を提供する。
【課題を解決するための手段】
【０００５】
上記技術的効果を実現するために、本考案は、下記技術案を採用する。
【０００６】
音声制御による高さ調整可能なマルチレンジスマート枕であって、
調整機構と、調整機構の外部に包まれたソフトパッドとを備え、調整機構は、対向設置され且つ相対的に移動可能な可動ベースを２つ備え、間隔調整装置により２つの可動ベースの間の間隔を調整し、２つの可動ベースの上方及び下方のいずれにも、調整ブリッジが設けられており、２つの調整ブリッジは対称的に設けられ、２つの調整ブリッジはそれぞれ上下方向からソフトパッドに当接され、可動ベースを移動することで上下方向からソフトパッドを押し広げ、間隔調整装置は、さらにリードを介してコントローラにより起動・停止する音声制御モジュールに接続されている。
【０００７】
好ましい技術案として、前記間隔調整装置は、２つの可動ベースの間に位置する駆動モータを備え、駆動モータの両端のそれぞれには、同軸で設けられた出力軸が設けられ、２本の出力軸の回転方向が反対しており、２本の出力軸のいずれにも同軸のねじ棒が設けられ、２本のねじ棒におけるねじ方向が同じであり、２本のねじ棒は、それぞれ２つの可動ベースに適合して接続され、駆動モータは、リードを介して、コントローラにより起動・停止する音声制御モジュールに接続され、駆動モータの内部には減速機が設けられている。
【０００８】
好ましい技術案として、前記可動ベースの上方及び下方における調整ブリッジは、すべて６本以上であり、且つ等間隔で配列されている。
【０００９】
好ましい技術案として、前記調整ブリッジは、水平に設けられソフトパッドに当接された弾性バーと、弾性バーの両端に対称的に設けられ、弾性バーに接続される２本の制御スチールバーとを備え、２本の制御スチールバーの他端はそれぞれ２つの可動ベースに接続され、制御スチールバーは、スチールバー本体と、それぞれスチールバー本体の両端に位置する第１接続部及び第２接続部とを備え、第１接続部は、弾性バーに固定して接続され、スチールバー本体は、第１接続部に回動可能に接続され、第２接続部は、可動ベースに固定して接続され、スチールバー本体は、第２接続部に回動可能に接続され、可動ベースの上方に位置する調整ブリッジの弾性バーは、可動ベースの上面よりも高く、可動ベースの下方に位置する調整ブリッジの弾性バーは、可動ベースの下面よりも低い。
【００１０】
好ましい技術案として、前記弾性バーとソフトパッドとの間には、ガードプレートが固定して設けられ、前記ガードプレートの両端が可動ベースの上方又は下方まで外向きに延びている。
【００１１】
好ましい技術案として、前記制御スチールバー本体と第１接続部及び第２接続部との回動接続方式には、ヒンジ連結が使用される。
【００１２】
好ましい技術案として、前記弾性バーの材質はＰＶＣ板を用いる。
【００１３】
好ましい技術案として、前記２つの可動ベースの間には、負荷モジュールが凹設されている。
【００１４】
好ましい技術案として、前記負荷モジュールは、高反発スポンジ又は硬化普通スポンジである。
【００１５】
好ましい技術案として、音声制御モジュールには、音声コマンドリストの認識及び調整ユニットへのコマンド送信のために、少なくとも３つ以上の調整レンジが設けられる。
【考案の効果】
【００１６】
従来技術に比べて、有益効果は、以下のとおりである。
本考案は、構造がシンプルであり、使用されやすく、上記構造によれば、枕の高さを柔軟に調性することができ、さまざまな人による枕の高さのニーズを満たす。さらに、音声制御モジュールにより本考案のインテリジェント調整が実現され、ユーザの使用利便性及び快適さが向上する。
【図面の簡単な説明】
【００１７】
【図１】本考案の構造模式図である。
【考案を実施するための形態】
【００１８】
以下、本考案の実施例における図面を参照しながら、本考案の実施例における技術案を明瞭で完全に説明するが、明らかなように、説明される実施例は、本考案の実施例の一部に過ぎず、すべての実施例ではない。
【００１９】
図１に示される音声制御による高さ調整可能なマルチレンジスマート枕は、調整機構１と、調整機構１の外側に設けられて調整機構１を内部に包むソフトパッド２とを備え、前記ソフトパッド２は、たとえば、スポンジ、天然ラテックス、真綿フィラーなど、緩衝作用を有する材料で製造されるパットである。
【００２０】
詳しくは、該調整機構１は、対向設置され且つ相対的に移動可能な可動ベース１１を２つ備える。さらに、ソフトパッド２は、間隔調整装置１２をさらに包み、該間隔調整装置１２は、２つの可動ベース１１に接続され、２つの可動ベース１１の間の間隔を調整する。また、２つの可動ベース１１の上方及び下方のそれぞれには、上記両方の上面又は下面に接続される複数の調整ブリッジ１３がさらに設けられ、２つの調整ブリッジ１３は対称的に設けられ、つまり、２つの可動ベース１１の上方には、１つの調整ブリッジ１３が設けられ、該調整ブリッジ１３は２つの可動ベース１１の上面に固定して接続され、該ブリッジの他端はソフトパッド２に上向きに当接され、２つの可動ベース１１の下方には、１つの調整ブリッジ１３が設けられ、該調整ブリッジ１３は、２つの可動ベース１１の下面に固定して接続され、該調整ブリッジ１３の他端はソフトパッド２に下向きに当接され、２つの可動ベース１１を移動することによって、２つの調整ブリッジ１３がそれぞれ上下方向へソフトパッド２を押し広げるように制御する。調整ブリッジ１３は、可動ベース１１の移動方向に沿って配置されており、且つ、一定の弾性及び剛性を有し、頭部の重量を支えても倒れることがなく、また、ユーザの頭部が硬すぎる部分に触れて嫌な気持ちがすることを回避する。具体的な材質として、調整ブリッジ１３は、スチールシート、ナイロンシート、繊維強化プラスチックなどの材質であってもよく、調整ブリッジ１３は、可動ベース１１及び固定ベースにより押されると、上向きに膨らんで、枕の高さを高める作用を果たす。また、間隔調整装置１２に音声制御機能を付与するために、該間隔調整装置１２における動力ユニットは、またリードを介して音声制御モジュール３に接続され、音声制御モジュール３は、ユーザからのコマンドを受信すると間隔調整装置１２へ制御コマンドを送信することによって、間隔調整装置１２を起動・停止する。
【００２１】
上記実施形態に基づいて、間隔調整装置１２の具体的な構造は、多種多様であり、たとえば、伸縮シリンダ構造、ねじ棒構造、ラックアンドピニオン構造などがある。精度を確保するために、好ましくは、間隔調整装置１２は、２つの可動ベース１１の間に設けられた駆動モータ１２１、たとえば、サーボモータ、同期モータなどを備え、駆動モータ１２１は、リードを介して音声制御モジュール３に接続され、駆動モータ１２１には、２つの可動ベース１１の両端のそれぞれに向かって１本の出力軸が設けられ、２本の出力軸は同軸で設けられ、且つ２本の出力軸の回転数は同じであるが、２本の出力軸の回転方向は反対しており、本実施例では、可動ベース１１の上下方向において調整ブリッジ１３はソフトパッド２に当接されて、駆動モータ１２１を宙にぶら下がるようにし、このため、２本の出力軸の回転数を同じに設定すること、及び回転方向を反対するようにすることにより、駆動モータ１２１の受ける力のバランスを取り、回転するときの揺れを回避する。好ましくは、駆動モータ１２１は、２つの可動ベース１１の間の中心位置にあり、それにより、駆動モータ１２１の受ける力をよりバランスよくする。駆動モータ１２１の２本の出力軸のいずれの軸端部にも、該出力軸と同軸線を有する１本のねじ棒１２２が設けられ、駆動モータ１２１から離れた該ねじ棒１２２の一端は、可動ベース１１に螺接され、ねじ棒１２２により駆動モータ１２１が回動駆動されると、それに螺接された可動ベース１１を水平に移動させ、２本のねじ棒１２２におけるねじ方向が同じであり、２本の出力軸により２本のねじ棒１２２が反対方向に回転駆動されるため、２つの可動ベース１１を対向して移動させるにはねじの方向が同じではなければならない。２本の出力軸は、同期して回動し、同じ回転数、同じ速度で対向又は反対して移動することができ、駆動モータ１２１の内部には、減速機が設けられ、一般的なモータの回転数が３０００〜６０００回転であるのに対して、本考案では、駆動モータ１２１の回転数が数十回転であれば十分であり、したがって、減速機により駆動モータ１２１の回転数を低下させる。
【００２２】
上記実施形態に基づいて、頭部が均一な力を受けるために、好ましくは、可動ベース１１の上方及び下方における調整ブリッジ１３は、いずれも６本以上であり、且つ等間隔で配列されており、可動ベース１１は、一定の長さを有し、可動ベース１１の長手方向が可動ベース１１の移動方向に垂直であり、複数の調整ブリッジ１３は、可動ベース１１の長手方向に等間隔で配列されている。
【００２３】
上記実施形態に基づいて、調整ブリッジ１３が枕の高さを調整するときの正確性を確保するために、調整ブリッジ１３の具体的な構造は、水平に設けられた１枚の弾性バー１３１を備え、弾性バー１３１は、ソフトパッド２に当接され、弾性回復能力を有するスチールシート、ナイロンシート又はＰＶＣ板などの材料であってもよく、本実施例では、好ましくはＰＶＣ板であり、弾性バー１３１の両端には、２本の制御スチールバー１３２が固定して接続されるように設けられ、２本の制御スチールバー１３２のそれぞれは、２つの可動ベース１１に固定して接続され、制御スチールバー１３２は、スチールバー本体と、それぞれ制御スチールバー本体の両端に位置する第１接続部及び第２接続部とを備え、第１接続部は弾性バー１３１に固定して接続され、制御スチールバー本体は第１接続部に回動可能に接続され、第２接続部は可動ベース１１に固定して接続され、制御スチールバー本体は第２接続部に回動可能に接続され、該制御スチールバー本体は、高い降伏抵抗を有し、上記回動可能な接続の方式は、折り曲げ、湾曲やヒンジ連結などであってもよく、本実施例では、好ましくは、回動方式はヒンジ連結であり、可動ベース１１の上方に位置する調整ブリッジ１３の弾性バー１３１は、可動ベース１１の上面よりも高く、可動ベース１１の下方に位置する調整ブリッジ１３の弾性バー１３１は、可動ベース１１の下面よりも低い。
【００２４】
上記実施形態に基づいて、ユーザが本考案を使用するときに、頭部が硬い可動ベース１１又は駆動モータ１２１にぶつからないように、弾性バー１３１とソフトパッド２の間には、ガードプレートが設けられ、該ガードプレートは、矩形であり、両端がそれぞれ２つの可動ベース１１の上方又は下方まで延在しており、つまり、可動ベース１１の上方における弾性バー１３１の上面には、１枚のガードプレートが設けられ、該ガードプレートの両端がそれぞれ２つの可動ベース１１の上方まで延在しており、可動ベース１１の下方における弾性バー１３１の下面には、１枚のガードプレートが設けられ、該ガードプレートの両端がそれぞれ２つのベースの下方に延在しており、それによって、可動ベース１１及び駆動モータ１２１をユーザから隔離することができる。隔離効果を確保するために、ガードプレートは、一定の剛度を有し、少なくとも固定ベース及び可動ベース１１の上方における部分が一定の剛度を有し、それにより、ユーザの頭部の重量を負荷できる（ガードプレートは図示せず）。
【００２５】
上記実施形態に基づいて、ユーザからの負荷により調整ブリッジ１３が変形して作用できなくなることを防止するために、２つの可動ベース１１の間には、負荷モジュール（図示せず）が設けられ、調整ブリッジ１３における制御スチールバー１３２へ影響を与えないように、該負荷モジュールの上面は可動ベース１１の上面よりもわずかに低く、負荷モジュールの下面は可動ベース１１の下面よりもわずかに低い。具体的に実施するときに、該負荷モジュールの好適態様では、優れた負荷モジュール能力及び回復能力を有する高反発スポンジ又は硬化スポンジが使用される。
【００２６】
上記実施形態に基づいて、音声制御調整モジュールは、複数の調整レンジを有し、ユーザからの音声コマンドを認識することで調整することができ、音声制御モジュール３のレンジは、少なくとも高、中、低の３つ以上のレンジを有し、音声制御調整方式は、従来技術であり、SHENZHEN唯創知音電子有限公司製のＷＴＫ６９００Ｂ０２システムの製品を使用できる。
【００２７】
本考案の作動原理は、以下のとおりである。ユーザが枕の高さを調整しようとする場合、高くする又は低くする旨の音声コマンドを送信することができ、このとき、音声制御モジュール３は、ユーザからのコマンドを受信して、間隔調整装置１２における駆動モータ１２１にコマンドを送信し、駆動モータ１２１は、対応する正反転を行い、それに接続されるねじ棒１２２を回動させて、２つの可動ベース１１が接近又は離遠するように駆動し、この過程において、上記両方に接続された調整ブリッジ１３は、対応する形状に変わり、その上面に包まれたソフトパッド２は、上昇又は降下して、枕の高さを調整する効果を奏する。
【００２８】
上記過程では、調整ブリッジ１３が弾性バー１３１と制御スチールバー１３２から構成される場合、可動ベース１１が固定ベースに接近すると、制御スチールバー１３２と水平面との夾角が大きくなり、２つの制御スチールバー１３２の間の弾性バー１３１が上がり、枕の高さを大きくする効果が実現される。逆には、可動ベース１１が固定ベースから離遠すると、弾性バー１３１が下がり、枕の高さを小さくする効果が実現される。
【００２９】
なお、本考案の説明において、用語「上」、「下」、「頂」、「底」、「内」、「外」などにより示される方位又は位置関係は、図面に示される方位又は位置関係に基づくものであり、又は、該考案の製品が使用されるときに一般的に配置される方位又は位置関係であり、又は、当業者が一般的に理解する方位又は位置関係であり、本考案の説明の便宜及び説明の簡素化のために過ぎず、示される機器又は素子が必ず特定の方位を有したり特定の方位で構造・操作されたりすることを指示又は示唆するものではなく、このため、本考案を制限するものとして理解できない。
【００３０】
さらに、用語「第１」、「第２」は、説明するために過ぎず、相対重要性を指示又は示唆するか、又は示される技術的特徴の数を暗黙的に示すのではない。それによって、「第１」、「第２」により限定される特徴は、１つ以上の特徴を含むことを明示的または暗黙的に示す。本考案の説明において、「複数」の定義は、別に明確に断らない限り、２つ以上を意味する。
【００３１】
本考案における実施例に基づいて、当業者が創造的な努力を必要とせずに取得し得るすべてのほかの実施例は、本実用新案登録請求の範囲に属する。
【符号の説明】
【００３２】
１、調整機構
１１、可動ベース
１２、間隔調整装置
１２１、駆動モータ
１２２、ねじ棒
１３、調整ブリッジ
１３１、弾性バー
１３２、制御スチールバー
２、ソフトパッド
３、音声制御モジュール。
【図１】
0003226370.tif 000003